(57)【特許請求の範囲】
【請求項１】
排水枝管から排水が流入する複数の流入部と、排水主管へ排水を流出する流出部とを有する桝本体を備える合流桝であって、
前記流入部は、
前記桝本体の側壁部から外方に向かって突出するように形成される短筒部、および
前記短筒部の先端に形成され、前記排水枝管が接続される管接続部を含み、
前記短筒部の前記管接続部側の開口縁の径を、前記排水枝管の内径と同じまたはほぼ同じ大きさにして、前記管接続部に接続した前記排水枝管の内面と前記短筒部の内面とが段差なく接続されるようにするとともに、前記短筒部の前記側壁部側の開口縁最下部が前記管接続部側の開口縁最下部より低い位置になるように高低差をつけた、合流桝。
【請求項２】
前記短筒部の管底は、前記管接続部側から前記側壁部側に向かって下り勾配となり、前記側壁部の下部には、中心方向に向かって下り勾配となる底壁部が形成され、この底壁部の中心部に、前記流出部が形成される、請求項１記載の合流桝。
【請求項３】
複数の流入部を有する桝本体を備える合流桝であって、
前記流入部は、
前記桝本体の側壁部から外方に向かって突出するように形成される短筒部、
前記短筒部の管底の両側に形成される縦壁、および
前記短筒部に形成される管接続部を含み、
前記短筒部の前記側壁部側の開口縁最下部が前記管接続部側の開口縁最下部より低い位置にある、合流桝。
【請求項４】
前記桝本体内に設けられ、各流入部の間を区画する仕切体をさらに備える、請求項１ないし３のいずれかに記載の合流桝。
【発明の詳細な説明】
【技術分野】
【０００１】
この発明は合流桝に関し、特にたとえば、複数の流入部を有する桝本体を備える、合流桝に関する。
【背景技術】
【０００２】
従来、合流桝は、充分に減速した排水が流入する屋外での使用を想定しているため、対面の流入部への越流を考慮した形状となっていない。しかし、たとえば屋内の床下に合流桝を設置した場合には、勢いのある排水が合流桝内に流入する可能性があり、その排水が対面の流入部へ越流してしまう恐れがある。
【０００３】
このような排水の越流を防止するために、たとえば特許文献１の技術では、桝本体内に仕切体を設けている。この仕切体は、上下方向の放射状仕切板と、隣同士の仕切板に亘る逆Ｌ字状天板とを含み、複数の流入口の桝本体内の開口側を区画して、排水をガイドしている。
【特許文献１】特許第３７９１７７０号公報  [Ｅ０３Ｆ  ５／１０]
【発明の開示】
【発明が解決しようとする課題】
【０００４】
桝本体内に流入する排水は、桝本体側壁の開口縁から中心方向に向かって略水平方向に飛び出し、重力の影響を受けて、次第にその流れ方向を鉛直下向きへと変えていく。しかし、特許文献１の技術では、桝本体内に仕切体を設けるので、桝本体側壁の開口縁と仕切体との距離が短くなっており、勢いのある排水が桝本体内に流入した場合には、排水は、その流れ方向が水平方向に近いまま仕切体に衝突することになる。流れ方向が水平方向に近い状態で仕切体に衝突した排水は、跳ね返って桝本体内から円滑に排出されなくなり、桝本体内を閉塞してしまう恐れがある。桝本体内が満水状態になると、桝本体内に負圧が発生し、合流桝の上流側に設けられる排水トラップを破封してしまう。
【０００５】
それゆえに、この発明の主たる目的は、新規な、合流桝を提供することである。
【０００６】
この発明の他の目的は、桝本体内に流入した排水を円滑に排出できる、合流桝を提供することである。
【課題を解決するための手段】
【０００７】
この発明は、上記の課題を解決するために、以下の構成を採用した。なお、括弧内の参照符号および補足説明などは、本発明の理解を助けるために後述する実施の形態との対応関係を示したものであって、この発明を何ら限定するものではない。
【０００８】
第１の発明は、排水枝管から排水が流入する複数の流入部と、排水主管へ排水を流出する流出部とを有する桝本体を備える合流桝であって、流入部は、桝本体の側壁部から外方に向かって突出するように形成される短筒部、および短筒部の先端に形成され、排水枝管が接続される管接続部を含み、短筒部の管接続部側の開口縁の径を、排水枝管の内径と同じまたはほぼ同じ大きさにして、管接続部に接続した排水枝管の内面と短筒部の内面とが段差なく接続されるようにするとともに、短筒部の側壁部側の開口縁最下部が管接続部側の開口縁最下部より低い位置になるように高低差をつけた、合流桝である。
【０００９】
第１の発明では、合流桝（１０）は、複数の流入部（１２）を有する桝本体（１４）を含み、たとえば、戸建住宅の床（１００）下に配置されて、住設機器から排出された排水を流す複数の排水枝管（１０２）と、排水を外部に排出する排水主管（１０６）とを繋ぐ。流入部は、桝本体の側壁部（２２）から外方に向かって突出する短筒部（３８）と、短筒部の一端に形成されて、排水枝管が接続される管接続部（４０）とを含む。短筒部には、その側壁部側の開口縁（４４）最下部が管接続部側の開口縁（４６）最下部よりも低い位置になるように、高低差がつけられている。これにより、排水枝管から桝本体内に流入する排水は、側壁部側の開口縁よりも外側で落下し始める。したがって、勢いのある排水が流入しても、排水は、その流れ方向を適切に下向きに変え、他の流入部に越流することなど無く、流出部（３０）から円滑に排出される。
【００１０】
第１の発明によれば、排水の落下開始点を側壁部側の開口縁よりも外側にすることができるので、桝本体内に流入する排水を円滑に排出できる。
【００１１】
第２の発明は、第１の発明に従属し、短筒部の管底は、管接続部側から側壁部側に向かって下り勾配となり、側壁部の下部には、中心方向に向かって下り勾配となる底壁部が形成され、この底壁部の中心部に、流出部が形成される。
【００１２】
第２の発明では、短筒部（３８）の管底（４２）に形成される下り勾配、つまり傾斜によって、側壁部側の開口縁（４４）最下部と管接続部側の開口縁（４６）最下部とに高低差がつけられる。これにより、勢いの無い排水が排水枝管から流入した場合には、排水は短筒部の管底に沿って流れ、管底の下り勾配によって若干加速されて、流出部（３０）から速やかに排出される。もちろん、第１の発明と同様に、排水の落下開始点を側壁部側の開口縁よりも外側にすることができるので、勢いのある排水が排水枝管から流入した場合にも、排水を円滑に排出できる。
【００１３】
第３の発明は、複数の流入部を有する桝本体を備える合流桝であって、流入部は、桝本体の側壁部から外方に向かって突出するように形成される短筒部、短筒部の管底の両側に形成される縦壁、および短筒部に形成される管接続部を含み、短筒部の側壁部側の開口縁最下部が管接続部側の開口縁最下部より低い位置にある、合流桝である。
【００１４】
第３の発明では、短筒部（３８）の管底（４２）の両側から垂直方向に立ち上がるように縦壁（４８）が形成される。この縦壁によって排水の幅が規制され、排水幅の横方向への拡大を抑制できる。したがって、桝本体（１４）内に流入する排水をより適切に排出できる。
【００１５】
第４の発明は、第１ないし第３のいずれかの発明に従属し、桝本体内に設けられ、各流入部の間を区画する仕切体をさらに備える。
【００１６】
第４の発明では、桝本体（１４）内に仕切体（５２）が設けられる。仕切体は、仕切板（５６）によって各流入部（１２）の間を区画し、流入部から流入する排水の流れ方向を流出部（３０）の方向にスムーズに変化させる案内機能によって、他の流入部への排水の越流を防止する。この場合、仕切体と側壁部（２２）側の開口縁（４４）との間の距離は短くなるが、流入部に短筒部（３８）を形成し、排水の落下開始点を側壁部（２２）側の開口縁（４４）よりも外側にしているので、仕切体と排水の落下開始点との間の距離は長くなる。したがって、排水は、その流れ方向が下向きに近い状態で仕切体と衝突することになるので、跳ね返ることなど無く、円滑に流出部から排出される。
【発明の効果】
【００１７】
この発明によれば、排水の落下開始点を側壁部側の開口縁よりも外側にすることができるので、桝本体内に流入した排水を円滑に排出できる。
【００１８】
この発明の上述の目的，その他の目的，特徴および利点は、図面を参照して行う以下の実施例の詳細な説明から一層明らかとなろう。
【発明を実施するための最良の形態】
【００１９】
図１を参照して、この発明の一実施例である合流桝１０は、戸建住宅などの床１００下に配置されて、トイレや風呂などの住設機器から排出された生活排水を流す複数の排水枝管１０２と、基礎１０４を貫通して生活排水を外部に排出する排水主管１０６とを繋ぐ。図２および図３に示すように、合流桝１０は、複数の流入部１２を有する桝本体１４、桝本体１４の点検口１６に装着される蓋１８、および蓋１８の抜け出しを防止するための押え部材２０を含み、塩化ビニル等の合成樹脂によって形成される。
【００２０】
図４に示すように、桝本体１４は、射出成形などによって形成され、略円筒形状の側壁部２２を含む。側壁部２２の内径は、たとえば１５５ｍｍである。側壁部２２の上端２４は開口しており、その上端開口が点検口１６として利用される。この点検口１６には、詳細は後述する蓋１８が着脱自在に装着される。また、側壁部２２の上端２４には、外側に向かって突出する４つの第１爪部２６が形成される。
【００２１】
側壁部２２の下部には、テーパ状の底壁部２８が形成され、底壁部２８の上面、すなわち桝本体１４の底面は中心方向に向かって下り勾配となる。この底壁部２８の中心部に、円筒形状の流出部３０が下方に延びるように形成される。流出部３０は、排水主管１０６へと排水を流出する流出口であると共に、排水主管１０６と接着接合などによって接続される接続部でもある。流出部３０の外径は、たとえば１０６ｍｍであり、その高さは、たとえば４０ｍｍである。
【００２２】
また、側壁部２２は、一方が内側に向かって凹んでおり、そこに段差部３２が形成される。段差部３２の両側端上部のそれぞれは段差状になっており、そこに第１支持部３４が形成され、その第１支持部３４の水平面同士を結ぶように、円弧状に突出する第２支持部３６が形成される。
【００２３】
側壁部２２の段差部３２側を除く３方側のそれぞれには、外方に向かって略水平方向に突出する流入部１２が形成される。流入部１２は、排水枝管１０２からの排水が流入する流入口であると共に、排水枝管１０２と接着接合などによって接続される接続部でもある。この実施例では、３つの流入部１２が設けられ、３つの排水枝管１０２からの排水が流入（合流）可能となっている。
【００２４】
具体的には、図５を参照して、流入部１２は、側壁部２２から外方に向かって突出する略円筒状の短筒部３８、および短筒部３８の一端に形成される管接続部４０を含む。短筒部３８は、管接続部４０から側壁部２２に向かって下り勾配となる管底４２を有し、短筒部３８の側壁部２２側の開口縁４４最下部は、管接続部４０側の開口縁４６最下部より低い位置に位置する。また、短筒部３８には、その管底４２の両側から垂直方向に立ち上がる縦壁４８が形成され、短筒部３８の底部は、管底４２と縦壁４８とによって溝状になっている。短筒部３８の管接続部４０側の開口縁４６の径は、排水枝管１０２の内径と同じ、或いはほぼ同じ大きさであり、排水枝管１０２の内面と短筒部３８の内面とは滑らかに接続される。短筒部３８の管底４２の下り勾配は、たとえば、水平距離が１０−５０ｍｍであるのに対して、高低差が２−２０ｍｍになるように形成される。
【００２５】
管接続部４０は、排水枝管１０２の管端を受け入れる受口であって、略円筒状に形成される。管接続部４０の外面端部には、係止溝５０が形成される。流入部１２に排水枝管１０２を接続しないときには、この係止溝５０を利用してキャップが装着され、排水の漏れが防止される。管接続部４０の内径は、排水枝管１０２の外径と同じ、或いはほぼ同じ大きさであり、たとえば９０ｍｍである。また、管接続部４０の軸方向の長さは、たとえば４０ｍｍである。
【００２６】
また、桝本体１４の内部には、各流入部１２の間を区画する仕切体５２が着脱自在に設けられる。具体的には、図６に示すように、仕切体５２は、射出成形などによって形成され、当接板５４および仕切板５６を備える。
【００２７】
当接板５４は、桝本体１４の段差部３２と対向するように形成される板状体であって、その外面の両側部上部は、段差部３２の両側端と沿う。また、当接板５４の上端には、外側に向かって突出する第１当接部５８が形成される。この第１当接部５８は、段差部３２の段差状の第１支持部３４に沿う形状に形成され、桝本体１４に仕切体５２を取り付けたときには、第１当接部５８と第１支持部３４とが当接する（図２参照）。
【００２８】
仕切板５６は、各流入部１２の間を区画して、他の流入部１２への排水の越流を防止するものであり、各流入部１２に対向する位置のそれぞれに形成される。具体的には、仕切板５６は、流入部１２に対向する主面５６ａを有し、主面５６ａの下端中央から上方および両側方に向かうに伴い、流入部１２に向かって湾曲する板状体に形成される。つまり、仕切板５６は、流入部１２の側壁部２２側の開口縁４４を庇状に覆い、仕切板５６の側面上部５６ｂは、開口縁４４の上側半周に亘って、桝本体１４の側壁部２２の内面に沿う（図２参照）。また、仕切板５６の側面下部５６ｃは、下端に向かうに伴い内側に向かって放物線を描くように湾曲する。つまり、仕切板５６の側面下部５６ｃと桝本体１４の側壁部２２の内面とは離れており、その間には空間が形成される。この空間は、仕切板５６によって区画される排水の通路同士を、桝本体１４の周方向に連通する。
【００２９】
また、仕切体５２は、その外面が仕切板５６の側面上部５６ｂと同一面となる壁部６０を備える。この壁部６０は、当接板５４と一体となって略円筒形に形成され、壁部６０の外面は側壁部２２の内面に沿う。壁部６０の上端には、その全周に亘って、第１当接部５８と一体となって外方に向かって突出する第２当接部６２が形成される。桝本体１４に仕切体５２を取り付けたときには、第２当接部６２と第２支持部３６とが当接し、第１当接部５８および第２当接部６２の上面は、段差部３２の上面と同一面を形成する（図２参照）。
【００３０】
このような仕切体５２は、流入部１２から流入する排水を案内して、排水の流れ方向を流出部３０の方向、すなわち下向きにスムーズに変化させる案内機能を有し、他の流入部１２への排水の越流を防止する。また、一度に多量の排水が桝本体１４内に流入した場合には、仕切板５６の側面下部５６ｃと側壁部２２との間の空間を通して、排水を周方向（横方向）にも流し、桝本体１４内での満水状態の発生を防止する。
【００３１】
また、桝本体１４の点検口１６には、その内部に一方通気弁６４を備える蓋１８が着脱自在に装着される。図７に示すように、蓋１８は、射出成形などによって形成され、有頂円筒状の内筒部６６、および内筒部６６の外面下部に形成される鍔部６８を備える。内筒部６６には、鍔部６８の上面に沿うように、桝本体１４内と外部とを連通するための通気孔７０が形成される。また、鍔部６８の下面には、円筒形状の嵌合部７２が形成される。嵌合部７２は、桝本体１４の点検口１６に嵌め込まれる部位であり、蓋１８を桝本体１４に取り付けたときには、嵌合部７２の下端と、第１当接部５８、第２当接部６２および段差部３２の上面とが当接する（図２参照）。したがって、上述の仕切体５２は、桝本体１４と蓋１８とによって挟まれる状態になるので、蓋１８が桝本体１４にしっかりと固定されていれば、仕切体５２もしっかりと固定される。また、嵌合部７２の外面にはＯリング等のシール部材７４が装着され、桝本体１４の側壁部２２内面と嵌合部７２外面との間の気密性および水密性が確保される。
【００３２】
一方通気弁６４は、蓋１８とは別体として形成され、バヨネット結合またはネジ結合などを利用して、内筒部６６の内部に取り付けられる（図２参照）。一方通気弁６４は、通常時には、外部への排水および悪臭の漏れを確実に防止する。一方、桝本体１４内で負圧が発生したときには、通気孔７０と桝本体１４内とを連通させて、外部の空気を桝本体１４内に取り込み、桝本体１４内を大気圧に保つ。
【００３３】
また、桝本体１４には、蓋１８の上から押え部材２０が取り付けられる。押え部材２０は、蓋１８が桝本体１４から不用意に外れることを防止すると共に、通気孔７０に空気を導入するための空気通路を形成する。
【００３４】
具体的には、図８に示すように、押え部材２０は、ドーナツ板状に形成される上壁部７６を備える。上壁部７６の中央に形成される円形の孔７８の径は、蓋１８の内筒部６６の外径とほぼ同じ大きさに設定され、孔７８の縁と内筒部６６の外面とは当接する。また、上壁部７６の下面周縁部には、下方向に延びる短円筒形状の側壁部８０が形成される。この側壁部８０の内面には、桝本体１４の４つの第１爪部２６と対応する位置に、内側に向かって突出する４つの第２爪部８２が形成される。また、上壁部７６の下面には、蓋１８の通気孔７０の高さに相当する高さを有する嵩上部８４が形成される。
【００３５】
桝本体１４に押え部材２０を取り付ける際には、先に桝本体１４の点検口１６に蓋１８を装着しておき、その蓋１８の上から押え部材２０を取り付ける。具体的には、押え部材２０の上壁部７６の孔７８に蓋１８の内筒部６６を挿通し、押え部材２０の側壁部８０内に、蓋１８と桝本体１４の側壁部２２の上端部分とを差し込む。そして、押え部材２０を周方向に回転させて、桝本体１４の第１爪部２６と押え部材２０の第２爪部８２とを勘合させることによって、桝本体１４に押え部材２０を固定する。つまり、押え部材２０の取り付けには、差し込んで回転させることによって固定するバヨネット結合が利用される。
【００３６】
桝本体１４に押え部材２０を取り付けると、押え部材２０の第２爪部８２上面は、桝本体１４の第１爪部２６下面と当接し、蓋１８の鍔部６８上面は、押え部材２０の嵩上部８４の下端と当接する（図２参照）。押え部材２０は、第１爪部２６と第２爪部８２との当接によって上方への動きが規制されるので、その押え部材２０によって押えられる蓋１８は、桝本体１４にしっかりと固定される。このように蓋１８と別体として形成した押え部材２０を用いることで、蓋１８の着脱性が向上する。
【００３７】
また、このとき、押え部材２０の上壁部７６下面と蓋１８の鍔部６８上面との間には、通気孔７０に空気を導入するための空気通路８６が形成され、押え部材２０は、蓋１８の鍔部６８の上面上方を完全に覆う（図２参照）。これにより、蓋１８の鍔部６８上面に埃などが堆積し難くなるので、蓋１８の通気孔７０から桝本体１４内に外気を取り込むときに、それと同時に埃などを吸引してしまうことが防止され、一方通気弁６４の機能低下を防止できる。
【００３８】
このような合流桝１０は、上述したように、戸建住宅の床１００下などに設置されて、排水枝管１０２と排水主管１０６とを繋ぐ。このため、住設機器から排出された排水は、排水枝管１０２を流れて流入部１２から桝本体１４内に流入し、流出部３０から排水主管１０６へと排出される。
【００３９】
ここで、排水枝管１０２から桝本体１４内に流入する排水が充分に減速されている場合、つまり排水の勢いが無い場合には、排水は、流入部１２の短筒部３８の管底４２に沿って流れ、管底４２の下り勾配によって若干加速されて、自重によって速やかに流出部３０から排出される。
【００４０】
また、排水の勢いが比較的弱い場合、排水は、流入部１２の短筒部３８の管底４２に沿って流れ、側壁部２２側の開口縁４４から中心方向に向かって飛び出す。そして、自重によって、或いは仕切体５２の案内機能によって、その流れ方向を鉛直下向きへと変え、流出部３０から円滑に排出される。
【００４１】
さらに、排水の勢いが強い場合、排水は、流入部１２の短筒部３８の管底４２の下り勾配が始まる地点から飛び出すと共に、その地点から自重によって落下し始める。そして、仕切体５２の案内機能によって、その流れ方向を鉛直下向きへと変え、流出部３０から排出される。このとき、排水が落下を開始する地点（落下開始点）と仕切体５２（具体的には仕切板５６の主面５６ａ）との間の距離が短いと、排水は、その流れ方向が水平方向に近いまま仕切体５２と衝突して跳ね返ってしまう。つまり、仕切体５２の案内機能を超える勢いで排水が仕切体５２と衝突して、排水は円滑に排出されなくなってしまう。しかし、この実施例のように、排水の落下開始点と仕切体５２との距離が長いと、排水は、その流れ方向が下向きに近い状態になって仕切体５２と衝突するので、仕切体５２の案内機能が適切に発揮されて、排水は円滑に排出される。
【００４２】
すなわち、特許文献１の技術のように、桝本体内の開口縁から排水の落下が始まるようにすると、落下開始点と仕切体との距離が近くなってしまい、勢いのあるまま排水が仕切体と衝突して跳ね返るので、排水を円滑に排出できない。
【００４３】
これに対して、この実施例では、その管底４２が下り勾配となる短筒部３８を流入部１２に形成したので、排水の落下開始点が仕切体５２から離れた地点となる。これにより、排水が仕切体５２と衝突するときには、排水の流れ方向が予め下向きに近い状態に変わり、排水の水平方向の勢いは弱められている。したがって、排水は、仕切体５２と衝突しても水平方向に跳ね返ることは無く、仕切体５２の仕切板５６の主面５６ａを滑るようにして、円滑に流出部３０から排出される。
【００４４】
また、短筒部３８の管底４２の両側から立ち上がる壁部４８を形成したので、排水の幅を規制でき、排水幅の横方向への拡大を抑制できる。これにより、勢いのある排水が桝本体１４内に流入しても、排水は仕切体５２と確実に衝突して、仕切体５２の案内機能によってその流れ方向を下向きに変える。したがって、仕切板５６の側面下部５６ｃと桝本体１４の側壁部２２との間の空間は、一度に多量の排水が桝本体１４内に流入する非常時にのみ利用されることになり、この空間を通って他の流入部１２に排水が越流することはない。
【００４５】
この実施例によれば、流入部１２に、その管底４２に下り勾配を有する短筒部３８を形成したので、排水の落下開始点を側壁部２２側の開口縁４４よりも外側にすることができ、排水の落下開始点を仕切体５２から離すことができる。これにより、桝本体１４内に流入した排水の流れ方向を適切に下向きに変えることができ、排水を円滑に排出できる。したがって、桝本体１４内が満水状態になることを防止でき、合流桝１０の上流側に設けられる排水トラップの破封を防止できる。また、排水性能が向上するので、合流桝１０を小型化できる。
【００４６】
なお、上述の実施例では、蓋１８と仕切体５２とを別体として成形したが、これに限定されず、蓋１８と仕切体５２とは一体に成形されていてもよい。また、桝本体１４内に仕切体５２を設けるようにしたが、仕切体５２は必ずしも設ける必要はない。仕切体５２を設けない場合でも、流入部１２に、その管底４２に下り勾配を有する短筒部３８を形成することによって、他の流入部１２から離れた位置で排水の落下を開始させることができるので、他の流入部１２への越流を防止でき、排水を円滑に排出できる。
【００４７】
また、上述の実施例では、短筒部３８の管底４２の下り勾配によって、その側壁部２２側の開口縁４４最下部が管接続部４０側の開口縁４６最下部より低い位置になるように高低差を設けたが、これに限定されず、この高低差は、段差によって設けることもできる。ただし、段差によって高低差を設けると、排水枝管１０２から流入する排水の勢いが弱い場合には、その段差の位置で排水の流れが悪くなって、ゴミ等が堆積してしまう恐れがある。したがって、側壁部２２側の開口縁４４最下部と管接続部４０側の開口縁４６最下部との高低差は、図１に示す実施例のように、勾配つまり傾斜によって形成することが望ましい。
【００４８】
また、短筒部３８の管底４２の下り勾配は、管底４２の軸方向全長に亘って形成するようにしてもよいし、管底４２の一部が下り勾配となるように形成してもよい。
【００４９】
また、管底４２に下り勾配を有する短筒部３８を全ての流入部１２に形成する必要はない。たとえば、１つの流入部１２のみに短筒部３８を形成し、勢いのある排水が流れる排水枝管１０２をその流入部１２に接続するようにするとよい。
【００５０】
さらに、上述の実施例では、流入部１２の管接続部４０を受口としたが、これに限定されず、管接続部４０を差口としてもよい。また、管接続部４０と排水枝管１０２との接合方法は、接着接合に限定されず、たとえば、これらをゴム輪接合することもできる。また、流入部１２の短筒部３８および管接続部４０を略円筒状に形成したが、これに限定されず、楕円筒状や卵筒状などに形成してもかまわない。
【００５１】
また、上述の実施例では、３つの流入部１２を設けたが、これに限定されず、２つの流入部１２を設けることもできるし、４つ以上の流入部１２を設けることもできる。
【００５２】
また、上述の実施例では、桝本体１４に蓋１８および押え部材２０を取り付けるようにしたが、これらは必ずしも必要ではなく、蓋１８および押え部材２０を設けないこともあるし、蓋１８および押え部材２０を適宜な形状および構成に変更することもある。
【００５３】
また、上述の実施例では、一般住宅などの床１００下に合流桝１０を配管したが、これに限定されず、合流桝１０は、屋外の排水管および下水管などに配管することもできる。また、合流桝１０は、流出部３０を桝本体１４の底壁部２８に形成して排水を下方に排出する、所謂ドロップ桝であることに限定されず、流出部３０を桝本体１４の側壁部２２に形成して、側方から排水を流出する桝であってもよい。
【００５４】
なお、上述した径や高さ等の具体的数値は、いずれも単なる一例であり、必要に応じて適宜変更可能である。
【図面の簡単な説明】
【００５５】
【図１】この発明の一実施例の合流桝を床下に配管した様子を示す図解図である。
【図２】図１の合流桝を示す断面図である。
【図３】図１の合流桝を示す側面図である。
【図４】図１の合流桝が備える桝本体を示す斜視図である。
【図５】図４の桝本体の要部（流入部）を示す図解図である。
【図６】図１の合流桝が備える仕切体を示す斜視図である。
【図７】図１の合流桝が備える蓋を示す斜視図である。
【図８】図１の合流桝が備える押え部材を示す斜視図である。
【符号の説明】
【００５６】
１０  …合流桝
１２  …流入部
１４  …桝本体
１８  …蓋
２０  …押え部材
３０  …流出部
３８  …短筒部
４０  …管接続部
４２  …短筒部の管底
４４，４６  …短筒部の開口縁
４８  …短筒部の縦壁
５２  …仕切体
【図１】
0005201963.tif 000002
【図２】
0005201963.tif 000003
【図３】
0005201963.tif 000004
【図４】
0005201963.tif 000005
【図５】
0005201963.tif 000006
【図６】
0005201963.tif 000007
【図７】
0005201963.tif 000008
【図８】
0005201963.tif 000009